(57)【要約】      （修正有）【課題】精神的かつ物理的に生前のペットと触れあい、また再会を擬似的に感じられる位牌を提供する。【構成】塔１は、頭部３とこれに続く胴部２とが外観として連続した面で結ばれ、胴部内に収容された柱４に戒名や法名、命日を記した位牌や写真が収容可能な額部が設けられる。塔の先端に位置する頭部と胴部の部分的外観は、三角錐形状、四角錐形状、円錐形状、砲弾形状等、又は、これに近似した多面体形状を有し、摘まみにくい形状をしている。柱の下部には柱の下端部を押し上げて頭部を胴部から分離して手がかりとなる隙間を開くリフトが設けられ、柱の内部には暗所４３となる中空が設けられ、暗所に対して開閉自在な蓋が柱の底部に設けられている。【選択図】図１
0003215837.tif 000002
【実用新案登録請求の範囲】
【請求項１】
頭部先端に位置する頭部とこれに続く胴部とが外観として連続した面で結ばれた玉子形若しくは、これに近似した多面体形状の外観を有し、前記頭部に固定された柱が前記胴部に収容され、当該柱の表面に戒名や法名、命日を記した位牌や写真を表示可能なペット用位牌であって、
前記柱は直方体形状であって、前記柱を上下方向に線形状に摺動する案内路が前記胴部に設けられ、さらに、前記柱の下端部を押し上げて前記頭部を胴部から分離して手がかりとなる隙間を開くリフトが設けられており、
かつ、前記柱の内部に暗所となる中空が設けられ、当該暗所に対して前記柱の外側から開閉自在な蓋が設けられていることを特徴とするペット用位牌。
【請求項２】
請求項１のペット用位牌において、前記柱は前記案内路の途中において引き上げる途中で一時保持するラッチ機構が設けられており、
かつ、前記柱を前記案内路から引き上げて、前記胴部から分離したときに現れる位置に、前記暗所を開閉する前記蓋が設けられていることを特徴とするペット用位牌。
【考案の詳細な説明】
【技術分野】
【０００１】
本考案は、ペットの戒名や法名、命日を記した位牌や写真を収容したペット用位牌に関する。
【背景技術】
【０００２】
ペットを飼育する人は、家族の一員として大事にペットを飼育する。この様な場合、ペットが亡くなったときも、供養も人間と同様に行いたいと希望する人が増えている。そこで最近では、家には仏壇を設置し、戒名や法名、命日を記した位牌や写真を仏壇の前や中に設置、安置する要望が出てきた。例えば、特許文献１によれば、位牌、納骨箱、写真額等を収容したペット用位牌が提案されている。
【先行技術文献】
【特許文献】
【０００３】
【特許文献１】実登３２０８４８９号公報
【考案の開示】
【考案が解決しようとする課題】
【０００４】
特許文献１に開示された位牌は、先端に位置する頭部とこれに続く胴部が玉子状の砲弾形状を有しており、単純でシンプルな外観がかわいらしい。位牌然としたものでは無いため、手元に置いても違和感が無い。この位牌は、頭部とこれに続く胴部とが外観として連続した面で結ばれており、頭部に固定された柱が前記胴部に収容されている。特定の操作をすることで、柱が胴部から突出する。従って、他人が単なる好奇心から、ちょっと触ってこれを弄ろうとしても、塔は何ら反応することがない。柱には、戒名や法名、命日を記した位牌や写真が収容可能な額部が設けられており、家人はいつでもペットの記録を目にすることができるのである。
【０００５】
柱に設けられた額縁は、戒名や法名、命日を記した位牌や写真を収容するが、これらはペットに直接関わるものではなく、平面的な紙に書き記し、若しくは焼き付けた間接的な思い出である。一方、ペットの遺骨やペット由来の小片（首輪、服など）等のペット自体に直接的に由来する遺物は、胴部の肩の位置に設けられた収容穴に納めている。
【０００６】
本発明の目的とするところは、精神的かつ物理的に生前のペットと触れあい、また再会を擬似的に感じられるような位牌を提供することにある。
【課題を解決するための手段】
【０００７】
本考案の塔によれば、頭部先端に位置する頭部とこれに続く胴部とが外観として連続した面で結ばれた玉子形若しくは、これに近似した多面体形状の外観を有し、前記頭部に固定された柱が前記胴部に収容され、当該柱の表面に戒名や法名、命日を記した位牌や写真を表示可能なペット用位牌であって、
前記柱は直方体形状であって、前記柱を上下方向に線形状に摺動する案内路が前記胴部に設けられ、さらに、前記柱の下端部を押し上げて前記頭部を胴部から分離して手がかりとなる隙間を開くリフトが設けられており、
かつ、前記柱の内部に暗所となる中空が設けられ、当該暗所に対して前記柱の外側から開閉自在な蓋が設けられていることを特徴とする。
【考案の効果】
【０００８】
本発明によれば、暗所に収容されたペットに直接由来する遺物が、胴部から突出する柱内に収容されているので、柱を胴部から引き出したときに、ペット自体が位牌から目覚め、柱を収容したときに眠りに付くと言うように、亡くなったペットを共に時間を過ごす感覚をより立体的に感じることができるようになるという効果がある。
【図面の簡単な説明】
【０００９】
【図１】本考案の塔の一実施例を示す図であり、図１Ａは側面図、図１Ｂは柱を露出した状態の正面図、図１ＣはＸ−Ｘ断面図である。
【図２】塔の断面図であり、図２Ａは柱の正面断面図、図２Ｂは柱の側面断面図、図２Ｃ、図２Ｄは塔の側面断面図である。
【図３】頭部の引き出しを示す断面図であり、図３Ａは初期状態図、図２Ｂはリフトにより頭部持ち上げた状態図、図３Ｃはさらに持ち上げた状態図である。
【考案を実施するための最良の形態】
【００１０】
図１において、本実施例の塔１は高さ２５ｃｍ、直径１６ｃｍ程度の大きさの木製塔であって、全体として底を平らとした玉子を立てたような形状を有している。塔１は胴部２と、先端に位置する頭部３とを有しており、胴部２と頭部３の境界は滑らかに連続している。具体的には、当該境界における胴部２外周面の縁における接線ｐは、同境界における頭部３外周面の縁における接線ｑと一致する。また、頭部３は、頂上に到るまで、接線ｑと同一の勾配若しくは、接線ｑに対して後退する外形を有している。そして、対称位置における胴部２の縁における接線ｐ’および対称位置における頭部３の縁における接線ｑ’と接線ｐ及び接線ｑが頭部３の上空で交わり、このなす角度θは６０度である。６は底板である。胴部２に対して頭部３が分離して上に伸張する。このような塔１の頭部３及びこれに続く胴部２の部分的外観を定義のできる典型的な形状が、三角錐形状、四角錐形状、円錐形状、砲弾形状等である。角度θが小さくなる程、頭部３を単独で摘まみやすくなる。胴部２に対して頭部３が分離して上に伸張する。胴部２の内部には、直方体形状の柱４が納められている。胴部２には案内路２１が設けられており、柱４は案内路２１に沿って上下に線形状に摺動する。案内路２１には、柱４を案内路２１の途中で一時的に位置を保持するラッチ機構が設けられている。ラッチ機構は、磁石４１と鉄板２２、２３とにより構成されており、案内路２１側には、高さを変えて鉄板２２、２３が固定されており、一方で柱４の摺動面には磁石４１が固定されている。磁石４１と鉄板２２、または鉄板２３とが向き合うとき、柱４の位置を磁力により位置を一時的に保持することができる。
【００１１】
柱４と頭部３は一体状に固定されている。柱４には、格納された戒名や法名、命日を記した位牌や写真を収容し、柱４の表面に表示する額部４２が設けられている。柱４は、正方形に近い横断面を有している。
【００１２】
図２Ａは柱４の正面一部断面図、図２Ｂは側面一部断面図である。柱４は、内部に中空である暗所を有する。暗所には、着脱自在な蓋４４を取り外すことにより、柱４の外部からアクセスできるようになる。蓋４４は、柱４の底部を兼ねている。蓋４４を取り付けることにより、内部の中空へ到達する入口がふさがり、また、内部を目視できない暗所４３になる。暗所４３には、窓も無く、遺骨やペット由来の小片を収容する。
【００１３】
図２Ｃ、２Ｄは塔１の側面断面図である。胴部２の底には、柱４を下から押し上げるリフト５が設けられている。リフト５の先端は、柱４の下端部（底板）に到達しており、胴部２の外周側に後端が突出している。リフト５は、支軸２４を中心に揺動可能で有り、尾部を押し下げることにより、柱４を下から押し上げる。
【００１４】
図３において、塔１において柱４を上げる手順は、まずリフト５の尾部を押し下げる。すると、柱４の下端部を押し上げるため、頭部３が胴部２から分離して隙間Ｚを境界に開く。磁石４１が鉄板２２を引き寄せるのに十分な磁力を発揮する距離に近づき頭部３が胴部２から引上げられる。この隙間Ｚを手がかりにし、磁石４１は、リフト５が押し込まれ柱４が押し上げられた位置で鉄板２２に吸着し、柱４を一時的に保持する（図３Ｂ）。さらに、頭部３を持ち上げると、磁石４１と鉄板２２との吸着は外れ胴部２から柱４が引き上げられ、磁石４１は鉄板２３に吸着して柱４の位置を一時的に保持する（図３Ｃ）。
【００１５】
柱４をさらに持ち上げれば、磁石４１と鉄板２３との吸着は外れ、柱４を胴部から分離させることができる。このとき、蓋４４の開閉が可能になる。蓋４４を柱４の底部とすることにより、塔１から柱４を引き上げた磁石４１は鉄板２３の一時保持の位置では、蓋４４は柱４の外観としては見えず、柱４が案内路から離脱し、胴部から分離して初めてみることができるという効果がある。
【００１６】
上記実施例においては、リフト５は、支軸２４を中心とした梃子の原理により、柱４の底部を押し上げていたが、リフト５の先端をテーパー状の傾斜部とし、胴部２の外周に現れたリフト５の尾部を中心に向かって押し込むことにより、傾斜部が案内路２１内に進入して柱４の底部を押し上げてもよい。
【００１７】
本実施例によれば、暗所に収容されたペットに直接由来する遺物が、胴部から突出する柱４内に収容されているので、柱４を胴部２から引き出したときに、ペット自体が位牌から目覚め、柱４を収容したときに眠りに付くと言うように、亡くなったペットを共に時間を過ごす感覚をより立体的に感じることができるようになる。例えば朝起きたときに柱を引き出して朝の挨拶をし、就寝の際にはお休みの挨拶を語りかける使い方ができるため、亡くなったペットをより身近に感じられることが可能になる。
【符号の説明】
【００１８】
１     塔
２     胴部
３     頭部
４     柱
５     リフト
２１     案内路
２２、２３     鉄板
２４    支軸
４１     磁石
４２     額部
４３     暗所
４４     蓋
【図１】
0003215837.tif 000003
【図２】
0003215837.tif 000004
【図３】
0003215837.tif 000005